(57)【特許請求の範囲】
【請求項１】
ボルト挿通孔（１）を備えた第１連結金具（Ｋ１）を隣接する一方のコンクリートセグメント（Ｓ１）に取り付け、前記ボルト挿通孔（１）に挿通させたボルト（３）を螺合させる雌ねじ部（２）を備えた第２連結金具（Ｋ２）を他方のコンクリートセグメント（Ｓ２）に取り付けて、前記ボルト挿通孔（１）に挿通させたボルト（３）を前記雌ねじ部（２）に螺合させることにより、前記一方のコンクリートセグメント（Ｓ１）と他方のコンクリートセグメント（Ｓ２）どうしを連結するコンクリートセグメントの連結構造であって、
第２連結金具（Ｋ２）を、前記雌ねじ部（２）を有する袋ナット部（７）と、当該袋ナット部（７）と連接するアンカー部（８）とから構成し、前記袋ナット部（７）の外周部から前記他方のコンクリートセグメント（Ｓ２）の平面方向（Ｚ）に略平行な方向に向けて外方に突出するリブ（９ｂ）を、袋ナット部（７）の軸芯（Ｘ）方向に沿わせて延設すると共に、
前記第１連結金具（Ｋ１）と前記第２連結金具（Ｋ２）とを連結した状態において、前記リブ（９ｂ）の端縁（１０）が前記第１連結金具（Ｋ１）の受面（５）と当接するよう構成してあるコンクリートセグメントの連結構造。
【請求項２】
前記リブ（９ｂ）に加えて、前記袋ナット部（７）の外周部から前記他方のコンクリートセグメント（Ｓ２）の厚み方向（Ｙ）のうち外面側に向けて突出する別のリブ（９ａ）を、袋ナット部（７）の軸芯（Ｘ）方向に沿わせて延設してある請求項１に記載のコンクリートセグメントの連結構造。
【請求項３】
複数の前記第２連結金具（Ｋ２）を連結部材（１４）によって連接すると共に、当該連結部材（１４）の端縁のうち前記雌ねじ部（２）の開口（２ａ）の側に位置する端縁（１７）を、前記受面（５）と当接しないように引退させてある請求項１に記載のコンクリートセグメントの連結構造。
【発明の詳細な説明】
【０００１】
【発明の属する技術分野】
本発明は、ボルト挿通孔を備えた第１連結金具を隣接する一方のコンクリートセグメントに取り付け、前記ボルト挿通孔に挿通させたボルトを螺合させる雌ねじ部を備えた第２連結金具を他方のコンクリートセグメントに取り付けて、前記ボルト挿通孔に挿通させたボルトを前記雌ねじ部に螺合させることにより、前記一方のコンクリートセグメントと他方のコンクリートセグメントどうしを連結するコンクリートセグメントの連結構造に関する。
【０００２】
【従来の技術】
従来、この種のコンクリートセグメント用連結具を用いてコンクリートセグメントどうしを連結する場合、例えば、雌ねじ部を備えた第２連結金具は、コンクリートセグメントの厚み方向においては厚み中央の一箇所にのみ設けてあることが多かった。
また、コンクリートセグメントどうしを連結した状態では、第１連結金具に対して第２連結金具の雌ねじ部の開口側端部が当接し、第２連結金具を埋設した周辺のコンクリート部分であってコンクリートセグメントの突合せ面を構成するコンクリート面が、第１連結金具の受面および第１連結金具周辺のコンクリート面と当接するものであった。
【０００３】
【発明が解決しようとする課題】
しかし、上記従来のコンクリートセグメントの連結構造によれば、次のような問題があった。
例えば、コンクリートセグメントどうしを連結した後に双方のコンクリートセグメントに対して曲げモーメントが付加された場合には、第１連結金具と第２連結金具との連結部分が支点となって、コンリートセグメントどうしが角変形しようとする。つまり、従来の連結金具において、特に第２連結金具の開口側の端部は単なる円筒状に形成されていることが多く、第１連結金具と第２連結金具との連結部分は上記曲げモーメントに抵抗することはできない。
この結果、上記曲げモーメントに抵抗するのは、第１連結金具周辺のコンクリート部分および第２連結金具周辺のコンクリート部分のみとなり、コンクリートの圧縮強度以上の外力が加わった場合には、第１連結金具周辺のコンクリートおよび第２連結金具周辺のコンクリートが圧壊するおそれがあった。
このように従来のコンクリートセグメント用連結具を用いてコンクリートセグメントどうしを連結する場合には、連結部の強度が十分とはいえず未だ改善の余地があった。
本発明の目的は、このような従来技術の欠点を解消し、連結部に曲げモーメントが付加された場合でも有効に抵抗し得るコンクリートセグメントの連結構造を提供することにある。
【０００４】
【課題を解決するための手段】
（構成１）
本発明のコンクリートセグメントの連結構造は、請求項１に記載したごとく、第２連結金具を、雌ねじ部を有する袋ナット部と、当該袋ナット部と連接するアンカー部とから構成し、前記袋ナット部の外周部からコンクリートセグメントの平面方向に略平行な方向に向けて外方に突出するリブを、袋ナット部の軸芯方向に沿わせて延設すると共に、第１連結金具と第２連結金具とを連結した状態において前記リブの端縁が第１連結金具の受面と当接するよう構成した点に特徴を有する。
（作用・効果）
本構成のコンクリートセグメントの連結構造は、第１連結金具と第２連結金具とを連結した時、第２連結金具の外周部に設けたリブ、つまり、コンクリートセグメントの平面方向に略平行な方向に向けて外方に突出するリブの端縁が第１連結金具の受面と当接するから、連結する双方のコンクリートセグメント間に厚み方向の剪断力が加わった際に当該剪断力は前記リブに分散され、第２連結金具によってコンクリートセグメントが破壊されるおそれが低減する。
また、本構成のコンクリートセグメントの連結構造では、前記リブが、袋ナット部の外周部、即ち、雌ねじ部に最も近接した位置に配置してあるから、ボルト螺合時に第２連結金具がボルトと共回りするのを最も有効に阻止することができる。
【０００５】
（構成２）
本発明のコンクリートセグメントの連結構造は、請求項２に記載したごとく、前記リブに加えて、袋ナット部の外周部からコンクリートセグメントの厚み方向のうち外面側に向けて突出する別のリブを、袋ナット部の軸芯方向に沿わせて延設して構成することもできる。
（作用・効果）
コンクリートセグメントの平面方向に略平行な方向に向けて外方に突出するリブに加えて、袋ナット部の外周部からコンクリートセグメントの厚み方向のうち外面側に向けて突出する別のリブを径方向に突出形成しておけば、ボルト螺合時の第２連結金具の共回りを更に有効に阻止することができる。
また、その別のリブは、コンクリートセグメントの厚み方向のうち外面側に向けて突出され、リブの端縁が第１連結金具の受面と当接するから、連結状態にある双方のコンクリートセグメントに対して、コンクリートセグメントの厚み方向外方から曲げ応力が負荷された場合に、その別のリブが、あたかも第１連結金具と第２連結金具との間に筋違い材を配置したのと同様の構成となって、コンクリートセグメント間に作用する曲げモーメントに対して大きな抵抗力を有するものとなる。
【０００６】
（構成３）
本発明のコンクリートセグメントの連結構造は、請求項３に記載したごとく、複数の第２連結金具を連結部材によって連接すると共に、当該連結部材の端縁のうち前記雌ねじ部の開口の側に位置する端縁を、第１連結金具の受面と当接しないように引退させて構成することができる。
（作用・効果）
本構成のごとく第２連結金具を連接し、予め曲げモーメントが加わる方向を考慮しつつコンクリートセグメントに設けておけば、曲げ応力が加わった際に、一方の袋ナット部が圧縮力を負担し、他方の袋ナット部が引張力を負担することとなるから、第２連結金具の近傍を取巻くコンクリートに圧縮力が作用するのを抑制することができる。よって、コンクリートが圧壊するおそれが低減し、より高い強度を有する連結部を得ることができる。
また、連結部材の端縁のうち前記雌ねじ部の開口の側に位置する端縁を引退させてあるから、例えば、当該第２連結金具を鋳造によって製造する場合において、連結部材の前記端縁を第１連結金具の受面と当接させる等のために仕上げ加工する必要はなく製造工程を簡略化することができる。
【０００７】
【発明の実施の形態】
以下に本発明の実施例を図面に基づいて説明する。
【０００８】
本発明に係るコンクリートセグメント用連結具を図１から図３に示す。
即ち、当該コンクリートセグメント用連結具は、一方のコンクリートセグメントＳ１にボルト挿通孔１を有する第１連結金具Ｋ１を取付け、他方のコンクリートセグメントＳ２には雌ねじ部２を有する第２連結金具Ｋ２を取付けて、ボルト挿通孔１にボルト３を挿通させつつ当該ボルト３を前記雌ねじ部２に螺合させることにより、双方のコンクリートセグメントＳ１，Ｓ２どうしを連結するものである。
本構成であれば、ボルト３に対するナットを別途準備する必要がなく、コンクリートセグメントＳ１，Ｓ２の連結作業に際してもボルト３のみを装着すればよいから作業効率を向上させることができる。
【０００９】
（第１連結金具）
図１（イ）（ロ）に示すごとく、第１連結金具Ｋ１はその中央部にボルト挿通孔１を備えており、一方のコンクリートセグメントＳ１に棒状アンカー４により取付ける。当該棒状アンカー４は、例えば図２に示すごとく第１連結金具Ｋ１の左右に一本づつ螺合させ、何れの棒状アンカー４もコンクリート中に埋設固定する。
第１連結金具Ｋ１及び棒状アンカー４を一方のコンクリートセグメントＳ１に対して設ける際には、第１連結金具Ｋ１の受面５の裏側であって一対の棒状アンカー４の間に、ボルト挿入用の作業空間６を形成しておく。当該作業空間６は、コンクリートを硬化させる際に中子を埋め込んでおく等して形成する。
【００１０】
（第２連結金具）
第２連結金具Ｋ２は、図１（イ）（ロ）に示すごとく、前記ボルト挿通孔１に挿通させたボルト３を螺合させる雌ねじ部２を備えており、他方のコンクリートセグメントＳ２に埋設固定する。
当該第２連結金具Ｋ２は、前記雌ねじ部２を有する袋ナット部７と、この袋ナット部７と連接するアンカー部８とから構成され、さらに、袋ナット部７の外周部には当該外周部の外方に突出するリブ９を袋ナット部７の軸芯Ｘ方向に沿わせて延設する。当該リブ９は、第１連結金具Ｋ１と第２連結金具Ｋ２とを連結した状態で、当該リブ９の端縁１０と第１連結金具Ｋ１の受面５とが当接するように構成してある。
ただし、前記リブ９は、単数に限られるものではなく、図１から図３に示したように複数設けることもできる。
その一例としては、例えば、図３に示すごとく、第１リブ９ａと第２リブ９ｂとを前記袋ナット部７の軸芯Ｘの方向に対して互いに直行する径方向に突出させて構成することができる。そして、前記第１リブ９ａの突出方向を他方のコンクリートセグメントＳ２の厚み方向のうち外面側に向く方向Ｙに一致させ、前記第２リブ９ｂの突出方向をコンクリートセグメントの平面方向Ｚに略平行な方向に一致させる。
本構成の場合、前記第１リブ９ａは、ボルト３を螺合させる際に第２連結金具Ｋ２がコンクリートセグメントＳ２の内部で回転するのを防止する効果を発揮する。
また、図１（ロ）、図２に示すごとく、前記第１連結金具Ｋ１と第２連結金具Ｋ２とを連結した際に、前記第１リブ９ａの端縁１０は第２連結金具Ｋ２の受面５に当接する構成となっているため、連結状態にある双方のコンクリートセグメントＳ１，Ｓ２に対して、コンクリートセグメントＳ１，Ｓ２の厚み方向外方から曲げ応力が負荷された場合に、前記第１リブ９ａの端縁１０が曲げを阻止するように前記受面５に対して抵抗する。この結果、前記第１リブ９ａは、あたかも第１連結金具Ｋ１と第２連結金具Ｋ２との間に筋違い材を配置したのと同様の構成となって、コンクリートセグメントＳ１，Ｓ２間に作用する曲げモーメントに対して大きな抵抗力を有するものとなる。よって、第２連結金具Ｋ２の近傍のコンクリート部分が圧縮力などによって破壊される不都合が低減する。
さらに本構成のコンクリートセグメント用連結具では、第１リブ９ａおよび第２リブ９ｂが、袋ナット部７の外周部、即ち、雌ねじ部２に最も近接した位置に配置してあるから、ボルト螺合時に第２連結金具Ｋ２がボルト３と共回りするのを最も有効に阻止することができる。
この他、前記第２リブ９ｂは、連結状態にある双方のコンクリートセグメントＳ１，Ｓ２に対して厚み方向外方から押圧力が負荷され、双方のコンクリートセグメントＳ１，Ｓ２どうしの間に剪断力が作用した場合でも、コンクリートセグメントＳ２の内部で第２連結金具Ｋ２が抵抗して、前記第２リブ９ｂがコンクリートセグメントＳ２の内部で位置ずれしたり、内部で移動した第２連結金具Ｋ２によってコンクリートセグメントＳ２が破壊されたりする不都合を防止するこができる。
【００１１】
前記アンカー部８には、図１〜図３に示すごとく、第２連結金具Ｋ２のコンクリートに対する引抜き抵抗力を増大させるべく、アンカー部８の外径よりも一回り大きな外径を有する節部１１をアンカー部８の長手方向の複数位置に設けてある。
また、アンカー部８の端部にも引抜き抵抗力を向上させるための定板部１２を設けてある。
さらに、アンカー部８の外周部には、側面視において前記節部１１の外径と略同じ突出高さとなるつば部１３をアンカー部８の長手方向に沿って一対設けてある。
当該つば部１３は、アンカー部８を補強する役目を有すると共に、第２連結金具Ｋ２を製造する際の仕上作業を簡略化する役目も有する。
特に、後者の仕上げ作業を簡略化できる点に関しては以下の理由による。
前記つば部１３は第１リブ９ａの突出する面内に位置するよう構成してある。つまり、本願発明に係る第２連結金具Ｋ２は主に鋳造によって製造するが、その場合に前記第１リブ９ａおよび一対のつば部１３は鋳型の分割面に配置してある。通常、製品を鋳型から取り出した後には、分割面に生じるバリを除去する必要がある。しかし、仮に当該つば部１３がないとすると、前記節部の凹凸に沿ってバリが存在することとなり、このような凹凸部分をグラインディングしなければならないとすると作業が非常に煩雑となる。これに対して、節部１１と略同一高さのつば部１３を設けておけば、当該つば部１３の端縁は略直線状になっているから、その後のグラインディング作業は非常に容易になって作業が簡略化されるのである。
【００１２】
〔別実施形態〕
上記実施形態においては、第２連結金具Ｋ２を一つの袋ナット部７および一つのアンカー部８を有する構成としたが、当該構成に限られるものではなく、例えば図４、図５に示すごとく、二つの第２連結金具Ｋ２を連結部材１４によって連接したものであってもよい。
当該連結部材１４は、雌ねじ部２の開口２ａ側に近い方のものを前側連結部材１４ａとし、前記開口２ａから遠い方のものを奥側連結部材１４ｂとする。
前側連結部材１４ａには、図６に示すごとくコンクリートセグメントＳ２の突合せ面１５に略平行な方向に突出した張出し部１６を有している。前記奥側連結部材１４ｂには底板部１２が連接してある。前記底板部１２および前記張出し部１６は、前記第２連結金具Ｋ２に引張力が作用した場合に引抜き抵抗力を発揮すると共に、当該第２連結金具Ｋ２を鋳物等で製造する際には、前側連結部材１４ａおよび奥側連結部材１４ｂが製造時に曲がり変形するのを防止する役目も有する。
また、前側連結部材１４ａの配置は、前側連結部材１４ａの端縁のうち前記第１連結金具Ｋ１の側に位置する端縁１７が、前記第１連結金具Ｋ１の受面５と当接しないよう引退した状態となるように行う。仮に、前記端縁１７が前記受面５と当接する構成であれば、第１連結金具Ｋ１を製造する際に前記端縁１７の仕上げ加工が必要となるが、上記の如く引退した構成であれば仕上げ加工の必要はなく製造工数を削減できるからである。
【００１３】
以上のごとく、本発明のコンクリートセグメントの連結構造によれば、連結したコンクリートセグメントＳ１，Ｓ２どうしの間に曲げモーメントが付加された場合でも、当該曲げモーメントに対して有効に抵抗でき、さらに、ボルト３の螺合時においても、第２連結金具Ｋ２の共回りを防止してコンクリートセグメントＳ１，Ｓ２どうしの連結部を強固にすることができる。
【００１４】
尚、上記特許請求の範囲の記載中、図面を参照し、図面との対照を便利にするために符号を記すが、当該記入により本発明が添付図面の構成に限定されるものではない。
【図面の簡単な説明】
【図１】本発明に係るコンクリートセグメント用連結具を示す説明図
【図２】コンクリートセグメント用連結具を連結した状態を示す横断面図
【図３】コンクリートセグメント用連結具の外観を示す斜視図
【図４】別実施形態に係るコンクリートセグメント用連結具を示す説明図
【図５】別実施形態に係るコンクリートセグメント用連結具の外観を示す斜視図
【図６】前側連結部材の横断面図
【符号の説明】
１    ボルト挿通孔
２    雌ねじ部
２ａ  雌ねじ部の開口
３    ボルト
５    第１連結金具の受面
７    袋ナット部
８    アンカー部
９ａ，９ｂ  リブ
１０  リブの端縁
１４  連結部材
１７  端縁
Ｋ１  第１連結金具
Ｋ２  第２連結金具
Ｓ１  一方のコンクリートセグメント
Ｓ２  他方のコンクリートセグメント
Ｘ    袋ナット部の軸芯
Ｙ 他方のコンクリートセグメントの厚み方向
Ｚ 他方のコンクリートセグメントの平面方向
【図１】
0003797730.tif 000002
【図２】
0003797730.tif 000003
【図３】
0003797730.tif 000004
【図４】
0003797730.tif 000005
【図５】
0003797730.tif 000006
【図６】
0003797730.tif 000007